(57)【要約】【課題】    三味線の皮張りにおいて、張り具合を勘に頼るのでなく、作業の途中で適宜皮の張力を目視できるようにした張力測定器を提供する。【解決手段】    ベース体と、該ベース体に設けられた摺動部と、該摺動部の先端に設けられた押し具と、前記摺動部の他端に設けられた重り載置部と、前記摺動部が摺動した量を測定する測定手段とより構成されることを特徴とする張力測定器である。【選択図】図１
2008096411.tif 000002
【特許請求の範囲】
【請求項１】
ベース体と、該ベース体に設けられた摺動部と、該摺動部の先端に設けられた押し具と、前記摺動部の他端に設けられた重り載置部と、前記摺動部が摺動した量を測定する測定手段とより構成される張力測定器。
【発明の詳細な説明】
【技術分野】
【０００１】  本発明は、三味線の皮張りにおいて、作業の途中で適宜、皮の張力を目視できるようにテコの原理を使って、増減できる重しで皮の真ん中が沈む度合いを拡大し、分度器の目盛りの上を針が動くようにした三味線の皮張り用張力測定器に関するものである。
【背景技術】
【０００２】  従来、三味線の皮張りにおいて、「一人前の皮張り職人になるには５年、芸人が満足できる三味線は１０年もかかる」というほど職人技が問われる作業であった。
職人技は、皮が裂ける一歩手前まで勘と度胸で引っ張る。そんな職人技の勘や度胸は、長年の修練を経て体得される。人間の勘は個人差があり、結果的に皮張り職人に技術差がでた。  初心者は、最初から上手に皮を張れるはずがない。表皮は４万円もする高価なものため、初心者はついつい引っ張りが足りず、たるみ気味になってしまうのである。
【発明の開示】
【発明が解決しようとする課題】
【０００３】    それには次のような問題点があった。
（イ）湿らした皮を周囲から皮張り道具で挟んで、張力の限界までビーンと伸ばして張るのだが、作業の途中で、今どの程度まで張ったか張力を調べるために、親指で皮の真ん中を強く押してみたり、人差し指で皮を弾き、その音から判断していたが、それには長年の修練を必要とした。
（ロ）夏休みや正月休みなど休み明けは、勘を取り戻すのに苦労した。
（ハ）皮が破れたから張り直しを依頼されるのは通常のでき事だが、張替て間もないのに音色が気に入らないから再度張り替えて欲しいと言われた場合、皮張り職人は困り果ててしまう。
（ニ）皮は、１枚１枚厚みも違うし、客の要望も違う。これからレコーディングだから、限界まで張って欲しいとか、経済的な理由で長年破けないように緩く張って欲しいとか注文も様々である。
（ホ）張力を上げるには、クサビを強く打ち込んでいくのだが、打ち込み過ぎて高価な皮を破きたくないので、ついつい手加減をしてしまう。ジャッキアップで張る機械張りでも同じことが言える。結果、音色は不満足な音になる。
（ヘ）職人の勘に頼る皮張りがどれほど難しいかを述べると、津軽三味線において、プロ演奏家が満足する皮張り状態は、パチンコ玉を皮の真ん中に置いて２Ｋｇの重しで圧力を加えたとき、僅か０、８ミリしか沈まない。これを、指先で押してそのたわみ具合いを見極めるのだから、いかに難しいかがお解りいただけるだろう。
本発明は、以上の問題点を解決するためのものである。
【課題を解決するための手段】
【０００４】  ベース体と、該ベース体に設けられた摺動部と、該摺動部の先端に設けられた押し具と前記摺動部の他端に設けられた重り載置部と、前記摺動部が摺動した量を測定する測定手段とより構成される張力測定器。
【発明の効果】
【０００５】  今まで、皮の張り方が強いか弱いかを知るためには、指先で強く皮を押してみて、そのたわみ具合を見て判断したり、指で皮を弾いてその音を聞いたりして勘で判断していたが、勘に頼るのでなく、分度器の目盛りを針が指す位置で、皮の張り方の強さを目視できる。この張力測定器で、太竿の津軽三味線において名人級の職人技の皮張りを測って見ると、２Ｋｇの鉛の負荷をかけたとき、１２〜１６度に針が振れた。つまり、皮張りの作業の途中でこの目盛りになるようにクサビを打ち込めば良い。また、機械張りの場合も同様になるようにジャッキアップすれば、結果を待たずして安定した音色が約束される。細竿三味線や、中竿三味線においても、名人級の職人技の皮張りを測って、そのデータを参考に皮張りをすれば良い。重しに使う鉛は０，５Ｋｇ，１Ｋｇを数個用意し、適宜調整することができる。
【発明を実施するための最良の形態】
【０００６】  以下、本発明の実施の形態について説明する。
（イ）ベース体（２１）に案内板Ａ（４）と案内板Ｂ（６）を取り付ける。その間に摺動する摺動板（５）を設ける。
（ロ）摺動板（５）の上端に重り載置部（３）を設け、重り載置部カシメピン（２２）で摺動板（５）に固定する。
（ハ）摺動板（５）の下端に押具（１２）を取り付ける。この押具（１２）の先端は球状になっていて、材質は金属であることが望ましい。
（ニ）案内板Ａ（４）に針（８）を回動するように針軸ピン（９）で取り付ける。摺動板（５）には針可動ピン（１０）が設けられており、この針可動ピン（１０）は針（８）に設けられた針長穴（１７）に挿入され、摺動板（５）の摺動に連動し、針（８）を回動させる。案内板Ａ（４）には分度器（７）が設けられており、針（８）が回動した際に、先端が分度器（７）の目盛上を動き、摺動量を測定することができる。
（ホ）分度器（７）は、針軸ピン（９）を中心軸とし、分度器可変長穴（２４）の範囲だけ、分度器固定ネジ（１８）を緩めれば動き、０点調整ができる。
（ヘ）ベース体支持脚Ａ（１３）とベース体支持脚Ｂ（１６）の間隔は、三味線の京口（２３）に乗るような間隔であることが望ましい。
（ト）ベース体重りＡ（１４）、ベース体重りＢ（１５）は測定器が安定するように設けられているもので、着脱可能である。
（チ）摺動板振れ止めネジ（１９）は、摺動板（５）の前後振れ防止用のネジである。
本発明は以上のような構成で、これを使用するときは、ベース体（２１）を胴（２）の京口（２３）にまたぐように載せ、分度器固定ネジ（１８）を緩め、分度器（７）を動かし、０点調整をする。次に、重し（１）を重り載置部（３）に載せ、分度器（７）上の針（８）が指す目盛りを読み取る。あらかじめ、名人級の職人が張った皮の張力を確認しておけば、それと比較して張力が不足しているかどうかが一目瞭然である。皮張り作業の途中で、適宜測定できるので、今までのように勘に頼らず、正確な張力を確認しながら安心してクサビを打ち込み、張力を高めることができる。ちなみに津軽三味線において、２Ｋｇの重し（１）を乗せたとき、名人級の職人が張った皮の張力は、１２〜１６度を示す。【０００７】  本発明の第２の実施の形態について説明する。
前記実施の形態と主に異なる点は、分度器（７）、針（８）にて摺動量を測定するかわりに、摺動板（５）及び案内板Ｂ（６）に直接目盛（１１）がふられていて、それによって摺動量を計測する点である。このような構成でも、前記実施の形態と同様の作用効果を得ることができる。
【図面の簡単な説明】
【０００８】
【図１】本発明の全体正面断面図
【図２】本発明の側面断面図
【符号の説明】
【０００９】  １  重し
２  胴
３  重り載置部
４  案内板Ａ
５  摺動板
６  案内板Ｂ
７  分度器
８  針
９  針軸ピン
１０  針可動ピン
１１  目盛
１２  押し具
１３  ベース体支持脚Ａ
１４  ベース体重りＡ
１５  ベース体重りＢ
１６  ベース体支持脚Ｂ
１７  針長穴
１８  分度器固定ネジ
１９  摺動板振れ止めネジ
２０  ベース体と脚固定金具
２１  ベース体
２２  重り載置部カシメピン
２３  京口
２４  分度器可変長穴
【図１】
2008096411.tif 000003
【図２】
2008096411.tif 000004